(57)【要約】【課題】マルチディスプレイを構成する各ディスプレイの画面輝度が統一された表示を行うことができるマルチディスプレイ表示映像生成装置及びマルチディスプレイ映像表示システムを提供する。【解決手段】映像信号処理構成部１０Ａは、原画像の映像信号を受けてディスプレイ７４Ａに表示する映像信号を生成する拡大縮小部１１と、原画像からディスプレイ７４Ａに表示する領域を抽出し、抽出された領域毎にゲイン値を計算するゲイン計算部１２と、算出されたゲイン値から最小となるゲイン値を選択するゲイン設定部１４と、選択されたゲイン値と各ディスプレイ７４Ａ〜７４Ｄに表示する映像信号を乗算することでゲイン調整後の映像信号を生成する乗算部１５とを備える。表示構成部７０Ａ〜７０Ｄは、映像信号処理構成部１０Ａ〜１０Ｄで生成されたゲイン調整後の映像信号の水平走査期間を計算する水平走査期間計算部と、ディスプレイ７４Ａ〜７４Ｄに表示する信号を生成する走査駆動回路部と変調駆動回路部と、を備える。【選択図】図１
2009204790.tif 000002
【特許請求の範囲】
【請求項１】
複数の走査配線と複数の変調配線からなるマトリクス配線をそれぞれに備えた複数の表示器に対して映像信号を供給するマルチディスプレイ表示映像生成装置であって、
入力映像信号を受けて、前記各表示器に対応した映像信号を生成する映像信号処理構成手段と、前記各表示器に供給する映像信号を生成する表示構成手段と、を備えたマルチディスプレイ表示映像生成装置において、
前記映像信号処理構成手段は、
入力映像信号と、入力映像と前記各表示器に表示される映像との対応関係及び複数の前記表示器の配置を示す情報を含むパネル構成信号とを受けて、前記表示器に対応した映像信号を生成する入力映像処理手段と、
前記入力映像信号又は前記入力映像処理手段で生成された映像信号を受けて、前記各表示器に供給される映像信号に対するゲイン値を算定するゲイン算定手段と、
前記入力映像処理手段で生成された映像信号に対して、前記ゲイン算定手段によって算定されたゲイン値に基づいてゲイン調整を行い、前記表示構成手段に出力するゲイン調整手段と、を備え、
前記表示構成手段は、
前記映像信号処理構成手段から出力されたゲイン調整後の映像信号を受けて、前記各表示器の複数の変調配線に少なくともパルス幅を変調した変調信号を供給する変調駆動手段と、
前記ゲイン調整後の映像信号を受けて、新たな水平走査期間を計算する水平走査期間計算手段と、
前記水平走査期間計算手段で計算された水平走査期間に基づいて、前記表示器の複数の走査配線に供給する信号を生成する走査駆動手段と、
を備えたことを特徴とするマルチディスプレイ表示映像生成装置。
【請求項２】
前記ゲイン算定手段は、
前記入力映像信号又は前記入力映像処理手段で生成された映像信号を受けて、複数のゲイン値を計算するゲイン計算手段と、
前記ゲイン計算手段によって計算されたゲイン値の内、一つのゲイン値を選択するゲイン値設定手段と、
を備えた請求項１に記載のマルチディスプレイ表示映像生成装置。
【請求項３】
前記ゲイン値設定手段は、
前記ゲイン計算手段によって計算された複数のゲイン値の内、最小となるゲイン値を選択することを特徴する請求項２に記載のマルチディスプレイ表示映像生成装置。
【請求項４】
前記ゲイン算定手段は、
前記入力映像信号により示される画像において推測される最小のゲイン値を算定する請求項１に記載のマルチディスプレイ表示映像生成装置。
【請求項５】
前記ゲイン算定手段は、
前記入力映像信号の１フレーム分の水平走査期間を、マルチディスプレイを構成する列方向の表示器の個数で除算した値を求める第１の除算手段と、
前記表示器の変調配線の数を、マルチディスプレイを構成する列方向の表示器の個数で除算した値を求める第２の除算手段と、
前記入力映像信号の各走査配線の画像データの最大値の内、昇順に第２の除算手段から求められた除算結果の値に相当する個数の前記画像データの最大値を取得し、その総和を求める第１の演算手段と、
前記第１の除算手段から求めた除算結果を、前記第１の演算手段により求めた演算結果
で除算する第３の除算手段と、
前記第３の除算手段から求めた除算結果を、ゲイン値とする請求項４に記載のマルチディスプレイ表示映像生成装置。
【請求項６】
前記ゲイン算定手段は、
前記入力映像処理手段によって生成された映像信号の１フレーム分の水平走査期間をマルチディスプレイを構成する列方向の表示器の個数で除算した値を求める第４の除算手段と、
前記入力映像処理手段で生成された映像信号の各走査配線の画像データの最大値の内、昇順に前記表示器の走査配線の数に相当する個数の前記画像データの最大値を取得し、その総和を求める第２の演算手段と、
前記第４の除算手段から求めた除算結果を、前記第２の演算手段により求めた演算結果で除算する第５の除算手段と、
前記第５の除算手段から求めた除算結果を、ゲイン値とする請求項４に記載のマルチディスプレイ表示映像生成装置。
【請求項７】
前記ゲイン算定手段は、
前記入力映像処理手段で生成された映像信号を受けて、前記各表示器で各走査期間の画像データの最大値を検出するライン最大値検出手段と、
前記ライン最大値検出手段で検出された最大値の内、マルチディスプレイを構成する行方向の前記各表示器の各走査期間の最大値を比較し、大きい値を取得するライン比較手段と、
前記ライン比較手段で取得された値を受けて、ゲイン値を計算するゲイン計算手段と、を備えた請求項１に記載のマルチディスプレイ表示映像生成装置。
【請求項８】
前記ゲイン計算手段は、
前記入力映像処理手段により生成される画像において推測される最小のゲイン値を算定する請求項７に記載のマルチディスプレイ表示映像生成装置。
【請求項９】
前記ゲイン計算手段は、
前記入力映像処理手段で生成された映像信号の１フレームの水平走査期間を求める第３の演算手段と、
前記ライン比較手段によって取得された値の内、昇順に前記表示器の走査配線の数に相当する個数の前記画像データの最大値を取得し、その総和を求める第４の演算手段と、
前記第３の演算手段から求めた演算結果を、前記第４の演算手段により求めた演算結果で除算する第６の除算手段と、
前記第６の除算手段から求めた除算結果をゲイン値とする請求項８に記載のマルチディスプレイ表示映像生成装置。
【請求項１０】
請求項１乃至９のいずれかに記載のマルチディスプレイ表示映像生成装置と、該マルチディスプレイ表示映像生成装置によって生成された映像信号に基づいて映像を表示する複数の表示器を備えたマルチディスプレイ映像表示システム。
【発明の詳細な説明】
【技術分野】
【０００１】
本発明は、単一の画像を複数のディスプレイに表示する映像を生成するマルチディスプレイ表示映像生成装置及び該装置により生成された映像を表示するマルチディスプレイ映像表示システムに関する。
【背景技術】
【０００２】
ディスプレイとして、蛍光体を発光させて画像を形成する自発光型の表示素子をマトリクス状に配置し、複数の行配線（走査配線）と複数の列配線（変調配線）とからなるマトリクス配線に供給する信号を制御し、表示するものがある。
【０００３】
上記の表示装置の走査配線に電圧を供給する水平期間は、均等な時間が割り振られており、１水平走査期間の長さを１（Ｈ）とする。また上記の表示器の変調配線に信号を供給する垂直期間は、画素の輝度レベルに応じたパルス幅変調方式であるとする。例えば、１０ｂｉｔｓの画素データで１０２３の場合、変調配線に電圧を印加する時間は、１（Ｈ）に相当する時間分であり、画素データが５１２の場合、０．５（Ｈ）に相当する時間分を変調配線に電圧を印加する。
【０００４】
各走査配線は一律１（Ｈ）の時間分を各走査配線に電圧を印加するのに対して、変調配線に供給される変調信号は、画素データに応じた時間しか変調配線に電圧を印加しない。そのため、各走査配線は必ずしも一律１（Ｈ）の時間分、電圧を印加する必要はなく、各走査配線に供給される変調信号の最大値の時間分だけ電圧を印加すれば良い。
【０００５】
よって、入力された映像信号から各水平走査期間における画像データの最大値を検出し、その最大値の和を算出する。算出された値からゲイン値を算出し、各水平走査期間と輝度データに対してゲイン調整を行い、新しい水平走査期間と変調信号を生成する。
【０００６】
この処理を行うことにより、表示する画像のピーク輝度を大きくして、良好な画像を得られる（特許文献１参照）。
【０００７】
以下、上述した特許文献１で記載されている駆動方式を、高輝度化駆動法と称する。
【０００８】
一方、表示ディスプレイを複数用いてマルチ画面を構成し、単一の画像を表示する映像表示システムが知られている。このような映像表示システムのディスプレイとして、プラズマディスプレイパネルを用いたものがある。
【０００９】
複数のプラズマディスプレイパネルを組み合わせた上記のシステムにおいて、従来、パネル全体の表示輝度を統一させるため、個々のパネルにおける表示画像の明るさを制御する以下のような技術が知られている（特許文献２参照）。
【００１０】
個々のプラズマディスプレイパネルに表示すべき映像の平均輝度レベルを取得し、パネルの個数分の平均輝度レベルの内、最も大きい平均輝度レベルを基準する。マルチディスプレイに表示する画像の明るさは、前述した基準となる平均輝度レベルに応じて、個々のパネルの表示輝度を制御する。
【特許文献１】特許第３８７０１２９号公報
【特許文献２】特開２００２−１９６７１７号公報
【発明の開示】
【発明が解決しようとする課題】
【００１１】
上述した従来のマルチディスプレイにおける画面輝度の制御方式を、自発光型の複数の表示素子をマトリクス状に配した表示器で行った場合、各表示装置器の画面輝度は統一されずに異なってしまう。なぜなら、各表示装置で平均輝度レベルを算出し、最も大きい平均輝度レベルに基づいて表示画像の明るさを決定しても、各表示装置で高輝度化駆動方式によって再度、各表示装置でゲイン調整されてしまうからである。
【００１２】
そこで、本発明は原画像又は原画像からマルチディスプレイに表示させるための拡大又は縮小等の処理を行った画像に対して、各ディスプレイの画面輝度が統一された表示を行うことができるマルチディスプレイ表示映像生成装置及びマルチディスプレイ映像表示システムを提供することを目的とする。
【課題を解決するための手段】
【００１３】
上記目的を達成するために本発明は、複数の走査配線と複数の変調配線からなるマトリクス配線をそれぞれに備えた複数の表示器に対して映像信号を供給するマルチディスプレイ表示映像生成装置であって、入力映像信号を受けて、前記各表示器に対応した映像信号を生成する映像信号処理構成手段と、前記各表示器に供給する映像信号を生成する表示構成手段と、を備えたマルチディスプレイ表示映像生成装置において、前記映像信号処理構成手段は、入力映像信号と、入力映像と前記各表示器に表示される映像との対応関係及び複数の前記表示器の配置を示す情報を含むパネル構成信号とを受けて、前記表示器に対応した映像信号を生成する入力映像処理手段と、前記入力映像信号又は前記入力映像処理手段で生成された映像信号を受けて、前記各表示器に供給される映像信号に対するゲイン値を算定するゲイン算定手段と、前記入力映像処理手段で生成された映像信号に対して、前記ゲイン算定手段によって算定されたゲイン値に基づいてゲイン調整を行い、前記表示構成手段に出力するゲイン調整手段と、を備え、前記表示構成手段は、前記映像信号処理構成手段から出力されたゲイン調整後の映像信号を受けて、前記各表示器の複数の変調配線に少なくともパルス幅を変調した変調信号を供給する変調駆動手段と、前記ゲイン調整後の映像信号を受けて、新たな水平走査期間を計算する水平走査期間計算手段と、前記水平走査期間計算手段で計算された水平走査期間に基づいて、前記表示器の複数の走査配線に供給する信号を生成する走査駆動手段と、を備えたことを特徴とする。
【発明の効果】
【００１４】
本発明によれば、単一の画像を、マルチディスプレイを構成する複数の表示器に表示する際に、マルチディスプレイの輝度を好適に制御することが可能となる。
【発明を実施するための最良の形態】
【００１５】
本発明は、Ｓ本の行配線（走査配線）とＴ本の列配線（変調配線）とからなるマトリクス配線に供給する信号を制御して表示を行う表示器を複数用いたマルチディスプレイ映像表示装置に関する。また、本発明は、同様のマルチディスプレイに表示させる映像を生成するマルチディスプレイ表示映像生成装置に関する。特に、マルチディスプレイ映像表示装置において、各ディスプレイ間の輝度差を低減させ、画面輝度を好適に調整する映像表示システムに関するものである。また、本発明は、自発光型の複数の表示素子をマトリクス状に配した表示器を複数用いたマルチディスプレイ映像表示装置に好適に用いられるものである。
【００１６】
以下、図１と図２と図４と図５と図６を参照して、本発明によるマルチディスプレイ映像表示システムの実施形態について説明する。なお、以下の各実施形態の説明では、マルチディスプレイ映像表示システムは、いずれも、マルチディスプレイを構成する表示器と、これらの表示器に表示させる映像を生成するためのマルチディスプレイ映像表示システ
ムとから構成されている。
【００１７】
また、第１〜第５の実施形態に示すシングルパネル時のディスプレイ３００及び２×２マルチディスプレイ映像表示システム１００、２００、３０１、３０２、４００、５００、６００の個々のディスプレイは、Ｓ＝１０、Ｔ＝１０のディスプレイである。つまり、第１〜第５の実施形態では個々のディスプレイとして、垂直解像度１０、水平解像度１０のディスプレイを使用するものとする。
【００１８】
また、第１〜第５実施形態のマルチディスプレイを構成するディスプレイとしては、２×２マルチディスプレイ表示について説明を行うが、２×２マルチディスプレイ表示に限らず、Ｎ×Ｍ個のマルチディスプレイ表示構成が可能である。
【００１９】
また、マルチディスプレイを構成する個々のディスプレイは、シングルパネル時の６０（Ｈｚ）で駆動するものとする。
【００２０】
（第１実施形態）
図１に示すように、マルチディスプレイ映像表示システム１００は、第１〜第４の映像信号処理構成部１０Ａ〜１０Ｄと、映像信号処理構成部１０Ａ〜１０Ｄから出力された映像信号をそれぞれ受ける第１〜第４の表示構成部７０Ａ〜７０Ｄと、を備える。各映像信号処理構成部と各表示構成部とは、一体の筐体内に収めても良いし、外部に新たなシステム部を設けた構成を採用しても良い。本実施形態では、映像信号処理構成部１０Ａ〜１０Ｄが映像信号処理構成手段に相当し、第１〜第４の表示構成部７０Ａ〜７０Ｄが表示構成手段に相当する。
【００２１】
映像信号処理構成部１０Ａは、拡大縮小部１１と、ゲイン計算部１２と、制御部１３と、ゲイン設定部１４と、乗算部１４と、を備える。本実施形態では、入力映像処理手段は、拡大縮小部１１と制御部１３から構成される。また、ゲイン計算部１２がゲイン計算手段に相当し、ゲイン設定部１４がゲイン値設定手段に相当し、ゲイン算定手段はゲイン計算部１２及びゲイン設定部１４から構成される。また、乗算部１４がゲイン調整手段に相当する。
【００２２】
ここで、拡大縮小部１１は、原画像の映像信号を受けてマルチディスプレイの各ディスプレイに対応した領域部分を抽出し、各ディスプレイの大きさに適した映像信号を生成する。ゲイン計算部１２は、各ディスプレイに対応した領域部分の原画像から、それぞれゲイン値（図１の場合、４つのゲイン値）を計算する。制御部１３は、拡大縮小部１１とゲイン計算部１２を制御する。ゲイン設定部１４は、ゲイン計算部１２から算出されたゲイン値（図１の場合、４つのゲイン値）から所定のゲイン値を１つ選択する。乗算部１４は、拡大縮小部１１から出力される映像信号にゲイン設定部１４から算出されたゲイン値を乗算する。
【００２３】
第２〜第４の映像信号処理構成部１０Ｂ〜１０Ｄは、それぞれ第１の映像信号処理構成部１０Ａと同様に構成される。
【００２４】
また、本実施形態では、ゲイン計算部とゲイン設定部で行っている処理は、各映像信号処理構成部１０Ａ〜１０Ｄの内で同じ処理を行っているが、外部にゲイン計算部とゲイン設定部を設けても良い。その場合、ゲイン設定部で決定したゲイン値を各映像信号処理構成部１０Ａ〜１０Ｄに分配すれば良い。
【００２５】
第１の表示構成部７０Ａは、変調駆動回路部７１と、水平走査期間計算部７２と、走査駆動回路部７３と、ディスプレイ７４Ａを備える。本実施形態では、変調駆動回路部７１
が変調駆動手段に相当し、水平走査期間計算部７２が水平走査期間計算手段に相当し、走査駆動回路部７３が走査駆動手段に相当する。また、ディスプレイ７４Ａが表示器に相当する。なお、これらと同様の構成を有する後述の各部についてもそれぞれ同様の手段に相当する。
【００２６】
ここで、変調駆動回路部７１は、第１の映像信号処理構成部１０Ａから出力されたゲイン調整後の映像信号を受ける。水平走査期間計算部７２は、出力されたゲイン調整後の映像信号から水平走査期間を計算する。走査駆動回路部７３は、水平走査期間計算部７２から出力された新しい水平走査期間を駆動する。ディスプレイ７４Ａは、変調駆動回路部７１と走査駆動回路部７３によって駆動される。
【００２７】
第２〜第４の表示構成部７０Ｂ〜７０Ｄは、それぞれ第１の表示構成部７０Ａと同様に構成される。
【００２８】
次に、本実施形態のマルチディスプレイ映像表示システム１００の動作について説明する。
【００２９】
図１に示すように、第１〜第４の映像信号処理構成部１０Ａ〜１０Ｄの各々は、単一の画像である原画像の映像信号とパネル構成信号が入力される。原画像の映像信号は拡大縮小部１１とゲイン計算部１２に、パネル構成信号は制御部１３にそれぞれ入力される。
【００３０】
パネル構成信号には、入力映像と各ディスプレイに表示される映像との対応関係及び複数のディスプレイの配置を示す情報が含まれる。具体的には、パネル構成信号には、Ｎ×Ｍ個のマルチディスプレイの構成（すなわち、マルチディスプレイにおける各ディスプレイの配置）を示すＮの値とＭの値という情報が含まれている。図１の場合、パネル構成信号にはＮ＝２、Ｍ＝２という情報が含まれている。
【００３１】
また、各ディスプレイ７４Ａ〜７４Ｄは原画像から各ディスプレイ７４Ａ〜７４Ｄに対応した領域を抽出して表示する為、パネル構成信号には各ディスプレイ７４Ａ〜７４Ｄに対応する領域を指示する信号も含まれる。例えば、ディスプレイ７４Ａは原画像の左上部分を表示するなどという信号である。
【００３２】
パネル構成信号には、原画像を拡大して各ディスプレイ７４Ａ〜７４Ｄに表示する為に、原画像の拡大領域を指示する信号も含まれる。
【００３３】
各映像信号処理構成部１０Ａ〜１０Ｄの拡大縮小部１１には、各ディスプレイ７４Ａ〜７４Ｄに表示すべき原画像の領域が制御部１３から指示される。
【００３４】
各映像信号処理構成部１０Ａ〜１０Ｄの拡大縮小部１１では、制御部１３から出力された制御信号に従って、原画像の映像信号から各ディスプレイ７４Ａ〜７４Ｄに対応する領域を抽出する。また、各ディスプレイ７４Ａ〜７４Ｄに対応する領域の抽出と同時に、各ディスプレイ７４Ａ〜７４Ｄの大きさに、拡大あるいは縮小し、各ディスプレイ７４Ａ〜７４Ｄに表示すべき映像信号を生成する。
【００３５】
上述の拡大及び縮小の方法として、公知技術である線形補間やバイキュービック法などが挙げられる。
【００３６】
各映像信号処理構成部１０Ａ〜１０Ｄのゲイン計算部１２では、各ディスプレイ７４Ａ〜７４Ｄに対応する領域を原画像の映像信号から抽出し、抽出された領域毎にゲイン値を算出する。本実施形態の場合、４つのゲイン値を計算する。詳細なゲイン値の算出方法に
ついては後述する。
【００３７】
各映像信号処理構成部１０Ａ〜１０Ｄのゲイン設定部１４では、ゲイン計算部１２で算出された４つのゲイン値を比較し、最小のゲイン値を選択する。
【００３８】
各映像信号処理構成部１０Ａ〜１０Ｄの乗算部１５では、拡大縮小部１１から出力された映像信号に、ゲイン設定部１４で選択されたゲイン値を乗算し、ゲイン調整後の映像信号を各表示構成部７０Ａ〜７０Ｄに出力する。
【００３９】
以下、ゲイン計算部１２の詳細について説明する。
【００４０】
まず、本実施形態の説明の前に、シングルパネル時のゲイン値の算出方法を以下に述べる。
【００４１】
表示器は、Ｓ本の行配線（走査配線）とＴ本の列配線（変調配線）とからなるマトリクス配線に供給する信号を制御して表示を行うものとする。また、変調配線に供給される信号は、画素の輝度レベルに応じてパルス幅を変調するパルス幅変調方式であるとする。
【００４２】
このような表示器の場合、一水平走査配線の表示水平走査期間を１（Ｈ）とすると、入力映像信号の１フレーム分の水平走査期間はＳ（Ｈ）となる。また、ｉ番目の水平走査配線の画素データの最大値をＬＭＡＸｉとし、全水平走査配線上の画素データ最大値の総和を
【数１】
2009204790.tif 000003
とする。
【００４３】
原画像の映像信号の１フレーム期間Ｓ（Ｈ）を、全水平走査配線についての画素データ最大値の総和
【数２】
2009204790.tif 000004
から算出された値で割った数値を、ゲイン値とする。
【００４４】
即ち、ゲイン値は、式１のように表される。
【数３】
2009204790.tif 000005
【００４５】
例えば、１番目の水平走査線の画像データの最大値を０．２（Ｈ）、以降、０．６（Ｈ）、１．０（Ｈ）、０．５（Ｈ）、０．７（Ｈ）、０．３（Ｈ）、０．３（Ｈ）、１．０（Ｈ）、０．９（Ｈ）、０．５（Ｈ）とすると、画素データの総和
【数４】
2009204790.tif 000006
は６．０（Ｈ）となる。
【００４６】
したがって、ゲイン値は、
【数５】
2009204790.tif 000007
となる。
【００４７】
次に、本実施形態のゲイン値算出方法を説明する。本実施形態では、ゲイン計算部１２において、ディスプレイの各走査配線に対して、変調配線に供給される変調信号の最大期間に対応した長さを示す値に基づく期間を設定し、この期間が所定の期間を超えないように調整する値をゲイン値としている。
【００４８】
本実施形態は、各ディスプレイ７４Ａ〜７４Ｄに対応する領域を原画像の映像信号から抽出し、抽出した領域毎にゲイン値を算出する。そのため、ディスプレイ７４Ａに対応する領域のゲイン値は、原画像の左上の領域から算出する値である。よって、原画像の映像信号の１番目から５番目の走査配線内と１番目から５番目の変調配線内での
【数６】
2009204790.tif 000008
を計算する。
【００４９】
原画像の左上の領域の総水平走査期間は、原画像の映像信号の１フレーム期間Ｓ（Ｈ）をマルチディスプレイを構成する列方向のディスプレイの個数Ｎで割ったＳ／Ｎ（Ｈ）＝１０／２＝５（Ｈ）である。
【００５０】
よって、左上の領域のゲイン値は、原画像の左上の領域の総水平走査期間Ｓ／Ｎ（Ｈ）＝５（Ｈ）を、原画像の左上の領域の全水平走査配線上の画素データの総和
【数７】
2009204790.tif 000009
で割った数値である。
【００５１】
以下、同様にして、右上、左下、右下の領域のゲイン値を算出する。
【００５２】
第１〜第４の表示構成部７０Ａ〜７０Ｄの各々は、各映像信号処理構成部１０Ａ〜１０Ｄの乗算部１４から出力されたゲイン調整後の映像信号と垂直同期信号が入力される。ゲ
イン調整後の映像信号は変調駆動回路部７１と水平走査期間計算部７２に、垂直同期信号は変調駆動回路部７１と走査駆動回路部７３にそれぞれ入力される。
【００５３】
各表示構成部７０Ａ〜７０Ｄの変調駆動回路部７１では、ゲイン調整後の映像信号に応じてパルス幅変調した変調信号（電圧パルス）を生成し、ディスプレイ７４Ａ〜７４Ｄの各変調配線に変調信号を出力する。
【００５４】
各表示構成部７０Ａ〜７０Ｄの水平走査期間計算部７２では、ゲイン調整後の映像信号の１フレーム期間が、所定の時間に収まるように各走査配線の水平走査時間を調整する処理を行う。この所定の時間とは、原画像の映像信号の１フレーム時間に相当する時間である。水平走査期間の算出方法については後述する。
【００５５】
各表示構成部７０Ａ〜７０Ｄの走査駆動回路部７３では、水平走査期間計算部７２から出力された新しい各走査配線の走査期間に従って、ディスプレイ７４Ａ〜７４Ｄの各走査配線に新しい各走査配線の走査期間の信号を出力する。
【００５６】
以下、水平走査期間計算部７２の詳細について説明する。
【００５７】
まず、本実施形態について説明する前に、シングルパネル時の水平走査期間の算出方法を以下に述べる。
【００５８】
一水平走査配線の表示水平走査期間を１（Ｈ）とすると、入力映像信号の１フレーム期間はＳ（Ｈ）となる。また、ｉ番目の水平走査配線の画素データの最大値をＬＭＡＸｉ
とし、全水平走査配線上の画素データの最大値の総和を
【数８】
2009204790.tif 000010
とする。
【００５９】
式１を用いて算出されたゲイン値を、Ｇとする。
【００６０】
Ｓと
【数９】
2009204790.tif 000011
の関係は、
【数１０】
2009204790.tif 000012
となり、
【数１１】
2009204790.tif 000013
の時は余りの時間があることを示している。よって、余っている時間を各水平走査線に再分配する為に、各水平走査期間に一律
【数１２】
2009204790.tif 000014
（Ｈ）の時間分を追加しても良い。また、全ての水平走査配線の画素データの最大値ＬＭＡＸｉにゲイン値を乗算し、ＳＳ＝Ｇ×ＬＭＡＸｉを、ｉ番目の新しい水平走査期間としても良い。または、余っている時間を全てブランキング期間としても良い。
【００６１】
次に、本実施形態の水平走査期間の算出方法について説明する。
【００６２】
各ディスプレイ７４Ａ〜７４Ｄに表示するゲイン調整後の映像信号は、各映像信号処理構成部１０Ａ〜１０Ｄのゲイン設定部で選択されたゲイン値に基づいた映像信号である。そのため、各ディスプレイ７４Ａ〜７４Ｄに表示するゲイン調整後の映像信号の総水平走査期間は、１フレーム期間Ｓ（Ｈ）と比較すると足りない場合もあり得る。
【００６３】
例えば、ゲイン計算部１２で算出されたディスプレイ７４Ａ〜７４Ｄに表示する領域のゲイン値がｇａｉｎ１＝１．１、ｇａｉｎ２＝１．５、ｇａｉｎ３＝１．５、ｇａｉｎ４＝１．５であるとすると、ゲイン設定部１４でｇａｉｎ１＝１．１が選択される。本来ディスプレイ７４Ｂには、ｇａｉｎ２＝１．５に基づいてゲイン調整された映像信号が表示される為、総水平走査期間ＳＳはＳＳ＝Ｓ（Ｈ）となる。しかし、実際にはｇａｉｎ１＝１．１に基づいてゲイン調整された映像信号が表示される為、総水平走査期間ＳＳはＳＳ≦Ｓ（Ｈ）となる。
【００６４】
したがって、各表示構成部７０Ａ〜７０Ｄの水平走査期間計算部７２では、ゲイン調整後の映像信号の各水平走査配線の画素データの最大値（ＬＭＡＸｉ）を取得し、全水平走査配線上の画素データの最大値の総和
【数１３】
2009204790.tif 000015
を算出する。各水平走査期間は各水平走査配線上の画素データの最大値に等しいから、ゲイン調整後の映像信号の総水平走査期間は、
【数１４】
2009204790.tif 000016
となる。このように算出された総水平走査期間と１フレーム期間Ｓ（Ｈ）との差分を計算する。
【００６５】
即ち、総水平走査期間と１フレーム期間との差分ΔＳは、式２のように表される。
【数１５】
2009204790.tif 000017
【００６６】
算出された期間は、表示ブランキング期間としても良いし、各水平走査配線に均等に配分しても良い。
【００６７】
例えば、１番目の画像データの最大値を０．２（Ｈ）、以降、０．６（Ｈ）、１．０（Ｈ）、０．５（Ｈ）、０．７（Ｈ）、０．３（Ｈ）、０．３（Ｈ）、１．０（Ｈ）、０．９（Ｈ）、０．５（Ｈ）の場合、画素データの総和
【数１６】
2009204790.tif 000018
は６．０（Ｈ）となるため、差分ΔＳは、
【数１７】
2009204790.tif 000019
となる。
【００６８】
算出された差分ΔＳ＝４．０（Ｈ）分の期間をブランキング期間としても良いし、各水平走査配線に均等に配分した場合、各水平走査配線に０．４（Ｈ）ずつ追加しても良い。すなわち、１番目の水平走査期間を０．６（Ｈ）、以降、１．０（Ｈ）、１．４（Ｈ）、０．９（Ｈ）、１．１（Ｈ）、０．７（Ｈ）、０．７（Ｈ）、１．４（Ｈ）、１．３（Ｈ）、０．９（Ｈ）としても良い。
【００６９】
このように、本実施形態のマルチディスプレイ映像表示システム１００は、単一の映像信号を複数のディスプレイに表示させる場合、原画像の映像信号から各ディスプレイ７４Ａ〜７４Ｄに対応する領域毎にゲイン値を算出する。算出されたゲイン値の内、最小のゲイン値を選択する事によって、マルチディスプレイ全体の輝度レベルが統一され、好適に表示することが可能となる。
【００７０】
（第２実施形態）
第２の実施形態であるマルチディスプレイ映像表示システム２００を、図２に示す。本実施形態の表示構成部７０Ａ〜７０Ｄは、上記第１の実施形態と同じであるため、表示構成部の説明は省略する。
【００７１】
本実施形態では映像信号処理構成部２０の詳細な説明だけを行う。本実施形態では、映像信号処理構成部２０が映像信号処理構成手段に相当する。
【００７２】
図２に示すように、マルチディスプレイ映像表示システム２００は、映像信号処理構成部２０と、映像信号処理構成部２０から出力された映像信号をそれぞれ受ける第１〜第４の表示構成部７０Ａ〜７０Ｄと、を備える。映像信号処理構成部と各表示構成部とは、一
体の筐体内に収めても良いし、外部に新たなシステム部を設けた構成を採用しても良い。本実施形態では、映像信号処理構成部２０が映像信号処理構成手段に相当し、第１〜第４の表示構成部７０Ａ〜７０Ｄが表示構成手段に相当する。
【００７３】
映像信号処理構成部２０は、拡大縮小部２１と、拡大縮小部２１を制御する制御部２２と、ゲイン計算部２３Ａ〜２３Ｄと、ゲイン設定部２４と、乗算部２５と、を備える。本実施形態では、入力映像処理手段は拡大縮小部２１と制御部２２から構成される。また、ゲイン計算部２３Ａ〜２３Ｄがゲイン計算手段に相当し、ゲイン設定部２４がゲイン設定手段に相当し、ゲイン算定手段はゲイン計算部２３Ａ〜２３Ｄ及びゲイン設定部２４から構成される。また、乗算部２５がゲイン調整手段に相当する。
【００７４】
ここで、拡大縮小部２１は、原画像の映像信号を受けてマルチディスプレイの各ディスプレイに対応した領域部分を抽出し、各ディスプレイの大きさに適した映像信号を生成する。ゲイン計算部２３Ａ〜２３Ｄは、拡大縮小部２１を制御する制御部２２と、拡大縮小部２１から出力された映像信号からゲイン値を算出する。ゲイン設定部２４は、ゲイン計算部２３Ａ〜２３Ｄから算出されたゲイン値から所定のゲイン値を１つ選択する。乗算部２５は、拡大縮小部２１から出力された映像信号にゲイン設定部２４から算出されたゲイン値を乗算する。
【００７５】
本実施形態のマルチディスプレイ映像表示システム２００の動作について説明する。
【００７６】
図２に示すように、映像信号処理構成部２０は、単一の画像である原画像の映像信号とパネル構成信号が入力される。原画像の映像信号は拡大縮小部２１に、パネル構成信号は制御部２２にそれぞれ入力される。
【００７７】
パネル構成信号には、Ｎ×Ｍ個のマルチディスプレイの構成を示すＮの値とＭの値という情報が含まれている。図２の場合、パネル構成信号にはＮ＝２、Ｍ＝２という情報が含まれている。
【００７８】
また、各ディスプレイ７４Ａ〜７４Ｄは原画像から各ディスプレイ７４Ａ〜７４Ｄに対応した領域を抽出して表示する為、パネル構成信号には各ディスプレイ７４Ａ〜７４Ｄに対応する領域を指示する信号も含まれる。例えば、ディスプレイ７４Ａは原画像の左上部分を表示するなどという信号である。
【００７９】
映像信号処理構成部２０の拡大縮小部２１には、マルチディスプレイのＮ、Ｍの数に応じた拡大率もしくは縮小率が制御部２２から指示される。
【００８０】
映像信号処理構成部２０の拡大縮小部２１では、制御部２２から出力された制御信号に従って、原画像の映像信号から各ディスプレイ７４Ａ〜７４Ｄに対応する領域を抽出する。そして、各ディスプレイ７４Ａ〜７４Ｄに対応する領域の抽出と同時に各ディスプレイ７４Ａ〜７４Ｄの大きさに、拡大あるいは縮小し、各ディスプレイ７４Ａ〜７４Ｄに表示すべき映像信号を生成する。
【００８１】
上述の拡大及び縮小の方法として、公知技術である線形補間やバイキュービック法などが挙げられる。
【００８２】
映像信号処理構成部２０のゲイン計算部２３Ａ〜２３Ｄでは、拡大縮小部２１で各ディスプレイ７４Ａ〜７４Ｄに表示する映像信号の画像データの最大値に応じてゲイン値を算出する。ゲイン値の計算方法は、第１実施形態で記載したシングルパネル時のゲイン値の算出方法と同様の方法で計算する。
【００８３】
映像信号処理構成部２０のゲイン設定部２４では、ゲイン計算部２３Ａ〜２３Ｄで取得された各ディスプレイ７４Ａ〜７４Ｄに対応する４つのゲイン値を比較し、最も小さい値を選択する。
【００８４】
映像信号処理構成部２０の乗算部２５では、拡大縮小部２１から出力された映像信号にゲイン設定部２４で選択したゲイン値を乗算し、ゲイン調整後の映像信号を生成する。
【００８５】
このように、本実施形態のマルチディスプレイ映像表示システム２００は、単一の映像信号を複数のディスプレイに表示させる場合、原画像の映像信号を拡大あるいは縮小処理を施す。そして、各ディスプレイ７４Ａ〜７４Ｄに表示する画像からゲイン値を算出し、算出されたゲイン値の内、最小のゲイン値を選択する。このようにして、本実施形態のマルチディスプレイ映像表示システム２００では、マルチディスプレイ全体の輝度レベルが統一され、好適に表示することが可能となる。
【００８６】
（第３実施形態）
上述したように、実施形態１と実施形態２におけるマルチディスプレイ全体の輝度レベルの統一は以下のように行われている。即ち、各ディスプレイに対応する領域を原画像の映像信号から抽出し、抽出した領域毎に算出したゲイン値の内、又は、各ディスプレイに表示する画像から算出したゲイン値の内から、最小のゲイン値を選択することによって行われている。
【００８７】
しかしながら、フレーム前後で原画像の平均輝度レベルは変化がないにも関わらず、マルチディスプレイで表示の場合、フレーム前後でマルチディスプレイ全体の輝度が変動する場合がある。
【００８８】
例えば図３に示すように、原画像の明るい部分がフレーム前後で移動した際、原画像の平均輝度レベルは一定である。
【００８９】
マルチディスプレイ時の画像で明るい部分がディスプレイ間に跨っている状態（３０１の状態）と、明るい部分が１つのディスプレイ内に収まっている状態（３０２の状態）では、フレーム前後でマルチディスプレイ全体の輝度変動が生じる。なぜなら、明るい部分３３がディスプレイ間に跨っていた時（３０１の状態）の最小となるゲイン値と、明るい部分３３が平行移動して１つのディスプレイ内に収まった時（３０２の状態）の最小となるゲイン値が異なるからである。
【００９０】
例えば、図３の原画像の明るい部分３０の総走査配線が５本、各水平走査配線の画像データの最大値が一律１（Ｈ）とし、明るい部分以外３１の画像データの最大値を一律０．５（Ｈ）とする。
【００９１】
図３の３０１の状態の場合、パネルＡの総走査配線１０本の内、６本が明るい部分である。式１を用いてゲイン値を計算するとｇａｉｎＡ＝１．２５、ｇａｉｎＢ＝１．２５、ｇａｉｎＣ＝１．４３、ｇａｉｎＤ＝１．４３となり、最小のゲイン値は１．２５となる。
【００９２】
一方、図３の３０２の状態の場合、パネルＢの総走査配線１０本の内、１０本全てが明るい部分である。式１を用いてゲイン値を計算するとｇａｉｎＡ＝２．０、ｇａｉｎＢ＝１．０、ｇａｉｎＣ＝２．０、ｇａｉｎＤ＝２．０となり、最小のゲイン値は１．０となる。
【００９３】
このように、フレーム前後で原画像の平均輝度レベルの変化がなく、尚且つ、明るい部分が各ディスプレイ間を平行移動した際、最小となるゲイン値が変動する為、フレーム前後でマルチディスプレイ全体の輝度変動が生じる。
【００９４】
第３の実施形態のマルチディスプレイ映像表示システムは、この点を改善するものである。
【００９５】
第３の実施形態であるマルチディスプレイ映像表示システム４００を、図４に示す。本実施形態の表示構成部７０Ａ〜７０Ｄは、上記第１の実施形態と同じであるため、表示構成部の説明を省略する。
【００９６】
本実施形態では映像信号処理構成部４０の詳細な説明だけを行う。本実施形態では、映像信号処理構成部４０が映像信号処理構成手段に相当する。
【００９７】
マルチディスプレイ映像表示システム４００は、第１〜第４の映像信号処理構成部４０Ａ〜４０Ｄと、映像信号処理構成部４０Ａ〜４０Ｄから出力された映像信号をそれぞれ受ける第１〜第４の表示構成部７０Ａ〜７０Ｄと、を備える。各映像信号処理構成部と各表示構成部とは、一体の筐体内に収めても良いし、外部に新たなシステム部を設けた構成を採用しても良い。本実施形態では、第１〜第４の映像信号処理構成部４０Ａ〜４０Ｄが映像信号処理構成手段に相当し、第１〜第４の表示構成部７０Ａ〜７０Ｄが表示構成手段に相当する。
【００９８】
映像信号処理構成部４０Ａは、拡大縮小部４１と、ゲイン計算部４２と、制御部４３と、乗算部４４と、を備える。本実施形態では、入力映像処理手段は、拡大縮小部４１と制御部４３から構成される。また、ゲイン計算部４２がゲイン算定手段に相当する。また、乗算部４４がゲイン調整手段に相当する。
【００９９】
ここで、拡大縮小部４１は、原画像の映像信号を受けてマルチディスプレイの各ディスプレイに対応した領域部分を抽出し、各ディスプレイの大きさに適した映像信号を生成する。ゲイン計算部４２は、原画像からゲイン値を計算する。制御部４３は、拡大縮小部４１とゲイン計算部４２を制御する。乗算部４４は、拡大縮小部４１から出力される映像信号にゲイン計算部４２から算出されたゲイン値を乗算する。
【０１００】
第２〜第４の映像信号処理構成部４０Ｂ〜４０Ｄは、それぞれ第１の映像信号処理構成部４０Ａと同様に構成される。
【０１０１】
また、本実施形態では、ゲイン計算部と乗算部で行っている処理は、各映像信号処理構成部４０Ａ〜４０Ｄの内で同じ処理を行っているが、外部にゲイン計算部と乗算部を設けても良い。その場合、ゲイン計算部で決定したゲイン値を各映像信号処理構成部４０Ａ〜４０Ｄに分配すれば良い。
【０１０２】
次に、本実施形態のマルチディスプレイ映像表示システム４００の動作について説明する。
【０１０３】
図４に示すように、第１〜第４の映像信号処理構成部４０Ａ〜４０Ｄの各々は、単一の画像である原画像の映像信号とパネル構成信号が入力される。原画像の映像信号は拡大縮小部４１とゲイン計算部４２に、パネル構成信号は制御部４３にそれぞれ入力される。
【０１０４】
パネル構成信号には、Ｎ×Ｍ個のマルチディスプレイの構成を示すＮの値とＭの値という情報が含まれている。図４の場合、パネル構成信号にはＮ＝２、Ｍ＝２という情報が含
まれている。
【０１０５】
また、各ディスプレイ７４Ａ〜７４Ｄは原画像から各ディスプレイ７４Ａ〜７４Ｄに対応した領域を抽出して表示する為、パネル構成信号には各ディスプレイ７４Ａ〜７４Ｄに対応する領域を指示する信号も含まれる。例えば、ディスプレイ７４Ａは原画像の左上部分を表示するなどという信号である。
【０１０６】
各映像信号処理構成部４０Ａ〜４０Ｄの拡大縮小部４１には、各ディスプレイ７４Ａ〜７４Ｄに表示すべき原画像の領域が制御部４３から指示される。
【０１０７】
各映像信号処理構成部４０Ａ〜４０Ｄの拡大縮小部４１では、制御部４３から出力された制御信号に従って、原画像の映像信号から各ディスプレイ７４Ａ〜７４Ｄに対応する領域を抽出する。そして、各ディスプレイ７４Ａ〜７４Ｄに対応する領域の抽出と同時に各ディスプレイ７４Ａ〜７４Ｄの大きさに、拡大あるいは縮小し、各ディスプレイ７４Ａ〜７４Ｄに表示すべき映像信号を生成する。
【０１０８】
上述の拡大及び縮小の方法として、公知技術である線形補間やバイキュービック法などが挙げられる。
【０１０９】
各映像信号処理構成部４０Ａ〜４０Ｄのゲイン計算部４２では、原画像の映像信号からゲイン値を算出する。詳細なゲイン値の算出方法については後述する。
【０１１０】
各映像信号処理構成部４０Ａ〜４０Ｄの乗算部４４では、拡大縮小部４１から出力された映像信号にゲイン値を乗算し、ゲイン調整後の映像信号を各表示構成部７０Ａ〜７０Ｄに出力する。
【０１１１】
以下、ゲイン計算部４２の詳細について説明する。
【０１１２】
本実施形態におけるゲイン値の算出方法は、以下の通りである。すなわち、ゲイン計算部４２において、ディスプレイの各走査配線に対して、変調配線に供給される変調信号の最大期間に対応した長さを示す値に基づく期間を設定し、この期間が所定の期間を超えないように調整する値をゲイン値としている。
【０１１３】
まず、原画像の映像信号の１フレーム期間Ｓ（Ｈ）をマルチディスプレイを構成する列方向のディスプレイの個数Ｎで割ったＳ／Ｎ（Ｈ）をＳＳとする（当該処理が第１の除算手段に相当する。）。
【０１１４】
次に、各水平走査配線の画像データの最大値（ＬＭＡＸｉ）の内、昇順に、ディスプレイの変調配線の本数を、マルチディスプレイを構成する列方向のディスプレイの個数Ｎで除算した値であるＳ／Ｎ個（当該処理が第２の除算手段に相当する。）のＬＭＡＸｉを取得し、その総和（演算結果）
【数１８】
2009204790.tif 000020
を算出する（当該処理が第１の演算手段に相当する。）。
【０１１５】
よって、ＳＳを
【数１９】
2009204790.tif 000021
で割った数値（除算結果）を、ゲイン値とする（当該処理が第３の除算手段に相当する。）。
【０１１６】
即ち、ゲイン値は、式４のように表される。
【数２０】
2009204790.tif 000022
【０１１７】
本実施形態の場合、原画像の１フレーム期間は１０（Ｈ）であり、各水平走査配線の画像データの最大値（ＬＭＡＸｉ）の内、昇順に５個のＬＭＡＸｉを取得し、その総和
【数２１】
2009204790.tif 000023
からゲイン値を算出すると、ゲイン値は１．０となる。
【０１１８】
よって、図３の左右どちらの状態であってもゲイン値は等しくなり、明るい部分が平行移動する場合も、ゲイン値が変動する事はない。
【０１１９】
このように、本実施形態のマルチディスプレイ映像表示システム４００は、単一の映像信号を複数のディスプレイに表示させる場合、式４を用いてゲイン値を算出する。このため、本実施形態では、フレーム前後で原画像の平均輝度レベルの変化がなく、尚且つ、明るい部分が各ディスプレイ間を平行移動する場合でも、最小となるゲインの値は変動しない。このように本実施形態では、ゲイン調整に用いるゲイン値として原画像において推測される最小のゲイン値を算定している。
【０１２０】
よって、本実施形態のマルチディスプレイ映像表示システム４００では、マルチディスプレイ全体の輝度レベルが統一されている。さらに、本実施形態では、フレーム前後で原画像の平均輝度レベルが同じシーンで、輝度の高い部分が移動した場合でも、フレーム前後でマルチディスプレイ全体の輝度変動を抑制することができ、好適に表示することが可能となる。
【０１２１】
（第４実施形態）
第４の実施形態は、フレーム前後で原画像の平均輝度レベルの変化がなく、尚且つ、明るい部分が各ディスプレイ間を平行移動した際、最小となるゲイン値が変動するという点を改善するものである。
【０１２２】
第４の実施形態であるマルチディスプレイ映像表示システム５００を、図５に示す。本実施形態の表示構成部７０Ａ〜７０Ｄは、上記第１及び第２の実施形態と同じであるため、説明は省略する。
【０１２３】
本実施形態では映像信号処理構成部５０の詳細な説明だけを行う。本実施形態では、映像信号処理構成部５０が映像信号処理構成手段に相当する。
【０１２４】
図５に示すように、マルチディスプレイ映像表示システム５００は、映像信号処理構成部５０と、映像信号処理構成部５０から出力された映像信号をそれぞれ受ける第１〜第４の表示構成部７０Ａ〜７０Ｄと、を備える。映像信号処理構成部と各表示構成部とは、一体の筐体内に収めても良いし、外部に新たなシステム部を設けた構成を採用しても良い。本実施形態では、映像信号処理構成部５０が映像信号処理構成手段に相当し、第１〜第４の表示構成部７０Ａ〜７０Ｄが表示構成手段に相当する。
【０１２５】
映像信号処理構成部５０は、拡大縮小部５１と、ゲイン計算部５２と、制御部５３と、乗算部５４と、画像分割部５５と、を備える。本実施形態では、入力映像処理手段は、拡大縮小部５１と制御部５３から構成される。また、ゲイン計算部５２がゲイン算定手段に相当し、乗算部５４がゲイン調整手段に相当する。
【０１２６】
ここで、拡大縮小部５１は、原画像の映像信号を受けてマルチディスプレイに表示する為に適した大きさの映像信号を生成する。ゲイン計算部５２は、原画像のゲイン値を計算する。制御部５３は、拡大縮小部５１と画像分割部５５を制御する。乗算部５４は、拡大縮小部５１から出力される映像信号にゲイン計算部５２から算出されたゲイン値を乗算する。画像分割部５５は、ゲイン計算部５２から出力されたゲイン調整後の映像信号を各ディスプレイ７４Ａ〜７４Ｄに対応した画像に分割する。
【０１２７】
以下に、本実施形態のマルチディスプレイ映像表示システム５００の動作について説明する。
【０１２８】
図５に示すように、映像信号処理構成部５０は、単一の画像である原画像の映像信号とパネル構成信号が入力される。原画像の映像信号は拡大縮小部５１に、パネル構成信号は制御部５３にそれぞれ入力される。
【０１２９】
パネル構成信号には、Ｎ×Ｍ個のマルチディスプレイの構成を示すＮの値とＭの値という情報が含まれている。図５の場合、パネル構成信号にはＮ＝２、Ｍ＝２という情報が含まれている。
【０１３０】
また、各ディスプレイ７４Ａ〜７４Ｄは拡大縮小部５１から出力された画像から各ディスプレイ７４Ａ〜７４Ｄに対応した領域を抽出して表示する為、パネル構成信号には各ディスプレイ７４Ａ〜７４Ｄに対応する領域を指示する信号も含まれる。例えば、ディスプレイ７４Ａは拡大縮小部５１から出力された画像の左上部分を表示するなどという信号である。
【０１３１】
また、パネル構成信号には原画像を拡大して各ディスプレイ７４Ａ〜７４Ｄに表示する為に、原画像の拡大領域を指示する信号も含まれる。
【０１３２】
映像信号処理構成部５０の拡大縮小部５１には、マルチディスプレイのＮ、Ｍの数に応じた拡大率もしくは縮小率が制御部５３から指示される。
【０１３３】
映像信号処理構成部５０の拡大縮小部５１では、制御部５３から出力された制御信号に従って、原画像の映像信号をマルチディスプレイの大きさに、拡大あるいは縮小を行い、ディスプレイ７４Ａ〜７４Ｄに表示すべき映像信号を生成する。
【０１３４】
上述の拡大及び縮小の方法として、公知技術である線形補間やバイキュービック法など
が挙げられる。
【０１３５】
映像信号処理構成部５０のゲイン計算部５２では、映像信号処理構成部５０の拡大縮小部５１で生成された映像信号に基づいてゲイン値を算出する。詳細なゲイン値の算出方法については後述する。
【０１３６】
映像信号処理構成部５０の乗算部５４では、拡大縮小部５１から出力された映像信号にゲイン値を乗算し、ゲイン調整後の映像信号を生成する。
【０１３７】
映像信号処理構成部５０の画像分割部５５では、制御部５３から出力された制御信号に従って、乗算部５４から出力された映像信号を各ディスプレイ７４Ａ〜７４Ｄに対応する領域を抽出し、各表示構成部７０Ａ〜７０Ｄに出力する。
【０１３８】
以下、ゲイン計算部５２の詳細について説明する。
【０１３９】
本実施形態におけるゲイン値の算出方法は、以下の通りである。すなわち、ゲイン計算部５２において、ディスプレイの各走査配線に対して、変調配線に供給される変調信号の最大期間に対応した長さを示す値に基づく期間を設定し、この期間が所定の期間を超えないように調整する値をゲイン値としている。
【０１４０】
まず、拡大縮小部５１から出力された映像信号の１フレーム期間Ｓ×Ｎ（Ｈ）をマルチディスプレイを構成する列方向のディスプレイの個数Ｎで割ったＳ（Ｈ）をＳＳとする（当該処理が第４の除算手段に相当する。）。
【０１４１】
次に、拡大縮小部５１から出力された映像信号の各水平走査配線の画像データの最大値（ＬＭＡＸｉ）の内、昇順にＳ個のＬＭＡＸｉを取得し、その総和
【数２２】
2009204790.tif 000024
を算出する（当該処理が第２の演算手段に相当する。）。
【０１４２】
よって、ＳＳを
【数２３】
2009204790.tif 000025
で割った数値を、ゲイン値とする（当該処理が第５の除算手段に相当する。）。
【０１４３】
即ち、ゲイン値は、式５のように表される。
【数２４】
2009204790.tif 000026
【０１４４】
本実施形態の場合、拡大あるいは縮小画像の１フレーム期間は７０（Ｈ）であり、各水
平走査配線の画像データの最大値（ＬＭＡＸｉ）の内、昇順に１０個のＬＭＡＸｉを取得し、その総和
【数２５】
2009204790.tif 000027
からゲイン値を算出すると、ゲイン値は１．０となる。
【０１４５】
よって、図３の左右どちらの状態であってもゲイン値は等しくなり、明るい部分が平行移動した際も、ゲイン値が変動する事はない。
【０１４６】
このように、本実施形態のマルチディスプレイ映像表示システム５００は、単一の映像信号を複数のディスプレイに表示させる場合、式５を用いてゲイン値を算出する。このため、本実施形態では、フレーム前後で原画像の平均輝度レベルの変化がなく、尚且つ、明るい部分が各ディスプレイ間を平行移動した際でも、最小となるゲインの値は変動しない。このように本実施形態では、ゲイン調整に用いるゲイン値として原画像において推測される最小のゲイン値を算定している。
【０１４７】
よって、本実施形態のマルチディスプレイ映像表示システム５００では、マルチディスプレイ全体の輝度レベルが統一されている。さらに、本実施形態では、フレーム前後で原画像の平均輝度レベルが同じシーンで、輝度の高い部分が移動した場合でも、フレーム前後でマルチディスプレイ全体の輝度変動を抑制することができ、好適に表示することが可能となる。
【０１４８】
（第５実施形態）
第５の実施形態は、フレーム前後で原画像の平均輝度レベルの変化がなく、尚且つ、明るい部分が各ディスプレイ間を平行移動した際、最小となるゲイン値が変動するという点を改善するものである。
【０１４９】
第５の実施形態であるマルチディスプレイ映像表示システム６００を、図６に示す。本実施形態の表示構成部７０Ａ〜７０Ｄは、上記第１及び第２の実施形態と同じであるため、説明は省略する。
【０１５０】
本実施形態では映像信号処理構成部６０の詳細な説明だけを行う。本実施形態では映像信号処理構成部６０が映像信号処理構成手段に相当する。
【０１５１】
図６に示すように、マルチディスプレイ映像表示システム６００は、映像信号処理構成部６０と、映像信号処理構成部６０から出力された映像信号をそれぞれ受ける第１〜第４の表示構成部７０Ａ〜７０Ｄと、を備える。映像信号処理構成部と各表示構成部とは、一体の筐体内に収めても良いし、外部に新たなシステム部を設けた構成を採用しても良い。
【０１５２】
映像信号処理構成部６０は、拡大縮小部６１と、制御部６２と、ライン最大値検出部６３Ａ〜６３Ｄと、ライン比較部６４ＡＢと、ライン比較部６４ＣＤと、ゲイン計算部６５と、乗算部６６Ａ〜６６Ｄと、を備える。本実施形態では、入力映像処理手段は、拡大縮小部６１と制御部６２から構成される。また、ライン最大値検出部６３Ａ〜６３Ｄがライン最大値検出手段に相当し、ライン比較部６４ＡＢとライン比較部６４ＣＤがライン比較手段に相当する。また、ゲイン計算部６５がゲイン計算手段に相当する。そして、ゲイン算定手段は、ライン最大値検出部６３Ａ〜６３Ｄとライン比較部６４ＡＢ及びライン比較部６４ＣＤとゲイン計算部６５から構成される。また、乗算部６６Ａ〜６６Ｄがゲイン調
整手段に相当する。
【０１５３】
ここで、拡大縮小部６１は、原画像の映像信号を受けてマルチディスプレイの各ディスプレイに対応した領域部分を抽出し、各ディスプレイの大きさに適した映像信号を生成する。制御部６２は、拡大縮小部６１を制御する。ライン最大値検出部６３Ａ〜６３Ｄは、拡大縮小部６１から出力された映像信号の各水平走査配線の画像データの最大値（ＬＭＡＸｉ）の検出を行う。ライン比較部６４ＡＢは、以下のような機能を有する。すなわち、ライン最大値検出部６３Ａ〜６３Ｄから出力された各水平走査配線の画像データの最大値の内、マルチディスプレイ上段の行方向にあるディスプレイの各水平走査期間の画像データの最大値を、各水平走査配線毎に比較し選択する。つまり、ライン比較部６４ＡＢは、ライン最大値検出部６３Ａと６３Ｂから出力された最大値を、各水平走査配線毎に両方の最大値を比較し選択する。ライン比較部６４ＣＤは、マルチディスプレイ下段の行にあるディスプレイの各水平走査期間の画像データの最大値、つまりライン最大値検出部６３Ｃと６３Ｄから出力された最大値を、各水平走査配線毎に両方の最大値を比較し選択する。ゲイン計算部６５は、ライン比較部６４ＡＢと６４ＣＤから出力された各水平走査配線の画像データの最大値に応じて、ゲイン値を算出する。乗算部６６Ａ〜６６Ｄは、拡大縮小部６１から出力された映像信号にゲイン計算部６５から算出されたゲイン値を乗算する。
【０１５４】
以下に、本実施形態のマルチディスプレイ映像表示システム６００の動作について説明する。
【０１５５】
図６に示すように、映像信号処理構成部６０は、単一の画像である原画像の映像信号とパネル構成信号が入力される。原画像の映像信号は拡大縮小部６１に、パネル構成信号は制御部６２にそれぞれ入力される。
【０１５６】
パネル構成信号には、Ｎ×Ｍ個のマルチディスプレイの構成を示すＮの値とＭの値という情報が含まれている。図６の場合、パネル構成信号にはＮ＝２、Ｍ＝２という情報が含まれている。
【０１５７】
また、各ディスプレイ７４Ａ〜７４Ｄは原画像から各ディスプレイ７４Ａ〜７４Ｄに対応した領域を抽出して表示する為、パネル構成信号には各ディスプレイ７４Ａ〜７４Ｄに対応する領域を指示する信号も含まれる。例えば、ディスプレイ７４Ａは原画像の左上部分を表示するなどという信号である。
【０１５８】
映像信号処理構成部６０の拡大縮小部６１には、マルチディスプレイのＮ、Ｍの数に応じた拡大率もしくは縮小率が制御部６２から指示される。
【０１５９】
映像信号処理構成部６０の拡大縮小部６１では、制御部６２から出力された制御信号に従って、原画像の映像信号から各ディスプレイ７４Ａ〜７４Ｄに対応する領域を抽出する。そして、各ディスプレイ７４Ａ〜７４Ｄに対応する領域の抽出と同時に各ディスプレイ７４Ａ〜７４Ｄの大きさに、拡大あるいは縮小し、各ディスプレイ７４Ａ〜７４Ｄに表示すべき映像信号を生成する。
【０１６０】
上述の拡大及び縮小の方法として、公知技術である線形補間やバイキュービック法などが挙げられる。
【０１６１】
映像信号処理構成部６０のライン最大値検出部６３Ａ〜６３Ｄでは、拡大縮小部６１で各ディスプレイ７４Ａ〜７４Ｄに表示する映像信号の各水平走査配線の画像データの最大値（ＬＭＡＸｉ）を取得する。
【０１６２】
映像信号処理構成部６０のライン比較部６４ＡＢにおいては以下のような処理を行う。すなわち、ライン最大値検出部６３Ａと６３Ｂで取得した各水平走査配線の画像データの最大値の内、マルチディスプレイ上段の行にあるディスプレイ７４Ａと７４Ｂの両方のｉ番目の水平走査期間の画像データの最大値を比較する。そして、ディスプレイ７４Ａと７４Ｂの両方のｉ番目の水平走査期間の画像データの最大値の内、大きい方の値をマルチディスプレイに表示する画像のｉ番目の水平走査期間の画像データの最大値とする。
【０１６３】
映像信号処理構成部６０のライン比較部６４ＣＤでも、ライン比較部６４ＡＢと同様の処理を行う。
【０１６４】
映像信号処理構成部６０のゲイン計算部６５では、映像信号処理構成部６０のライン比較部６３ＡＢと６３ＣＤで取得したマルチディスプレイに表示する画像の各水平走査配線の画像データの最大値に応じてゲイン値を算出する。詳細なゲイン値の算出方法については後述する。
【０１６５】
映像信号処理構成部６０の乗算部６６Ａ〜６６Ｄでは、拡大縮小部６１から出力された映像信号にゲイン計算部６５で算出したゲイン値を乗算し、ゲイン調整後の映像信号を生成する。
【０１６６】
以下、ゲイン計算部６５の詳細について説明する。
【０１６７】
本実施形態におけるゲイン値の算出方法は、以下の通りである。すなわち、ゲイン計算部６５において、ディスプレイの各走査配線に対して、変調配線に供給される変調信号の最大期間に対応した長さを示す値に基づく期間を設定し、この期間が所定の期間を超えないように調整する値をゲイン値としている。
【０１６８】
まず、映像信号処理構成部６０の拡大縮小部６１で生成された各ディスプレイ７４Ａ〜７４Ｄに表示する映像信号の１フレーム期間に相当するＳ（Ｈ）をＳＳとする（当該処理が第３の演算手段に相当する。）。
【０１６９】
次に、映像信号処理構成部６０のライン比較部６３ＡＢと６３ＣＤで取得されたＳ×Ｎ（Ｈ）個の画像データの最大値の内、昇順にＳ個のＬＭＡＸｉを取得し、その総和
【数２６】
2009204790.tif 000028
を算出する（当該処理が第４の演算手段に相当する。）。
【０１７０】
よって、ＳＳを
【数２７】
2009204790.tif 000029
で割った数値を、ゲイン値とする（当該処理が第６の除算手段に相当する。）。
【０１７１】
即ち、ゲイン値は、式６のように表される。
【数２８】
2009204790.tif 000030
【０１７２】
本実施形態の場合、拡大あるいは縮小画像の１フレーム期間は７０（Ｈ）であり、ライン比較部で取得された拡大あるいは縮小画像の各水平走査配線の画像データの最大値（ＬＭＡＸｉ）の内、昇順に１０個のＬＭＡＸｉを取得し、その総和
【数２９】
2009204790.tif 000031
からゲイン値を算出すると、ゲイン値は１．０となる。
【０１７３】
よって、図３の左右どちらの状態であってもゲイン値は等しくなり、明るい部分が平行移動した際も、ゲイン値が変動する事はない。
【０１７４】
このように、本実施形態のマルチディスプレイ映像表示システム６００は、単一の映像信号を複数のディスプレイに表示させる場合、式６を用いてゲイン値を算出する。このため、本実施形態では、フレーム前後で原画像の平均輝度レベルの変化がなく、尚且つ、明るい部分が各ディスプレイ間を平行移動した際でも、最小となるゲインの値は変動しない。このように本実施形態では、ゲイン調整に用いるゲイン値として拡大あるいは縮小された画像において推測される最小のゲイン値を算定している。
【０１７５】
以上のように、本実施形態では、ゲイン値計算部において、ディスプレイの各走査配線に対して、変調配線に供給される変調信号の最大期間に対応した長さを示す値に基づく期間を設定し、この期間が所定の期間を超えないように調整する値をゲイン値としている。
【０１７６】
よって、本実施形態のマルチディスプレイ映像表示システム６００では、マルチディスプレイ全体の輝度レベルが統一されている。さらに、本実施形態では、フレーム前後で原画像の平均輝度レベルが同じシーンで、輝度の高い部分が移動した場合でも、フレーム前後でマルチディスプレイ全体の輝度変動を抑制する事ができ、好適に表示することが可能となる。
【図面の簡単な説明】
【０１７７】
【図１】本発明の第１実施形態に係るマルチディスプレイ映像表示システムの概略構成を示す図である。
【図２】本発明の第２実施形態に係るマルチディスプレイ映像表示システムの概略構成を示す図である。
【図３】本発明の第１実施形態と第２実施形態のマルチディスプレイ映像表示システムで求めたゲイン値は、画像によってゲイン値が変動する例を示す図である。
【図４】本発明の第３実施形態に係るマルチディスプレイ映像表示システムの概略構成を示す図である。
【図５】本発明の第４実施形態に係るマルチディスプレイ映像表示システムの概略構成を示す図である。
【図６】本発明の第５実施形態に係るマルチディスプレイ映像表示システムの概略構成を示す図である。
【符号の説明】
【０１７８】
１００  実施形態１のマルチディスプレイ映像表示システム
１０Ａ、１０Ｂ、１０Ｃ、１０Ｄ  第１実施形態の映像信号処理構成部
１１  第１実施形態の拡大縮小部
１２  第１実施形態のゲイン計算部
１３  第１実施形態の制御部
１４  第１実施形態のゲイン設定部
１５  第１実施形態の乗算部
２００  第２実施形態のマルチディスプレイ映像表示システム
２０  第２実施形態の映像信号処理構成部
２１  第２実施形態の拡大縮小部
２２  第２実施形態の制御部
２３Ａ、２３Ｂ、２３Ｃ、２３Ｄ  第２実施形態のゲイン計算部
２４  第２実施形態のゲイン設定部
２５Ａ、２５Ｂ、２５Ｃ、２５Ｄ  第２実施形態の乗算部
３００  原画像
３０  原画像における明るい部分(輝度が高い)
３１  原画像における明るい部分以外(輝度が低い)
３０１  明るい部分が複数のディスプレイ間に跨っている状態の画像
３２Ａ、３２Ｂ、３２Ｃ、３２Ｄ  拡大画像あるいは縮小画像において各ディスプレイが表示する領域
３３  拡大画像あるいは縮小画像における明るい部分
３０２  明るい部分が１つのディスプレイ内にある状態の画像
４００  第３実施形態のマルチディスプレイ映像表示システム
４０Ａ、４０Ｂ、４０Ｃ、４０Ｄ  第３実施形態の映像信号処理構成部
４１  第３実施形態の拡大縮小部
４２  第３実施形態のゲイン計算部
４３  第３実施形態の制御部
４４  第３実施形態の乗算部
５００  第４実施形態のマルチディスプレイ映像表示システム
５０  第４実施形態の映像信号処理構成部
５１  第４実施形態の拡大縮小部
５２  第４実施形態のゲイン計算部
５３  第４実施形態の制御部
５４  第４実施形態の乗算部
５５  第４実施形態の画像分割部
６００  第５実施形態のマルチディスプレイ映像表示システム
６０  第５実施形態の映像信号処理構成部
６１  第５実施形態の拡大縮小部
６２  第５実施形態の制御部
６３Ａ、６３Ｂ、６３Ｃ、６３Ｄ  第５実施形態のライン最大値検出部
６４ＡＢ  第５実施形態のライン比較部
６４ＣＤ  第５実施形態のライン比較部
６５  第５実施形態のライン計算部
６６Ａ、６６Ｂ、６６Ｃ、６６Ｄ  第５実施形態の乗算部
７０  表示理構成部
７１  変調駆動回路部
７２  水平走査期間計算部
７３  走査駆動回路部
７４Ａ、７４Ｂ、７４Ｃ、７４Ｄ  ディスプレイ
【図１】
2009204790.tif 000032
【図２】
2009204790.tif 000033
【図３】
2009204790.tif 000034
【図４】
2009204790.tif 000035
【図５】
2009204790.tif 000036
【図６】
2009204790.tif 000037